(57)【要約】【課題】使用感がよく肌荒れのしにくい汚れ防止剤を提供すること。【解決手段】水の配合割合を５０〜７０重量％とし、油分の配合割合を１０〜２０重量％とするとともに、これらと乳化剤、研磨剤及び球状シリカから構成されたクリーム状の性状を呈する汚れ防止剤であって、球状シリカを無孔質とするとともにその粒径を０．１〜３．０μｍとし、更に球状シリカの配合割合を１〜１０重量％とした。球状シリカは粒径０．２〜２．０μｍがより好適であり、粒径０．４〜０．６μｍが最も好適である。【特許請求の範囲】
【請求項１】
少なくとも水、油分、乳化剤、研磨剤及び球状シリカから構成されクリーム状の性状を呈する汚れ防止剤。
【請求項２】
前記球状シリカの配合割合は１〜１０重量％であることを特徴とする請求項１に記載の汚れ防止剤。
【請求項３】
前記球状シリカの粒径は０．１〜３．０μｍであることを特徴とする請求項１又は２に記載の汚れ防止剤。
【請求項４】
前記水の配合割合は５０〜７０重量％であることを特徴とする請求項１〜３のいずれかに記載の汚れ防止剤。
【請求項５】
前記油分の配合割合は１０〜２０重量％であることを特徴とする請求項１〜４のいずれかに記載の汚れ防止剤。
【請求項６】
前記水と油分との合計配合割合は６０〜９０重量％であることを特徴とする請求項１〜５のいずれかに記載の汚れ防止剤。
【発明の詳細な説明】
【０００１】
【発明の属する技術分野】本発明は汚れを防止したい個所に前もって塗付しておく汚れ防止剤に関するものである。
【０００２】
【従来の技術】従来から汚れが付着しやすい箇所、例えば換気扇や作業前の手部分に前もって塗付しておき、汚れが付着した際に軽く洗うだけで容易に汚れを流れ落としてきれいにできるクリームがある。これは前もってクリームで被膜をつくり、直接汚れが手などに着かないようにするとともに、配合された界面活性剤によって汚れを取り除くというものである。
【０００３】
【発明が解決しようとする課題】しかし、従来のこの種のクリームでは固めのワックスのような外観を呈しているためクリーム自体の伸びがなくきわめて使いにくかった。また、特に手に塗って使用した後に洗い流すと皮膚が乾いてかさかさした感じがするため、使用後にもっとさらさらした保湿性の高いいわゆる「肌に優しい」製品が求められていた。
本発明は上記課題を解決するためのものである。その目的は使用感がよく肌荒れのしにくい汚れ防止剤を提供することにある。
【０００４】
【課題を解決するための手段】上記課題を解決するために、請求項１に記載の発明では、汚れ防止剤を少なくとも水、油分、乳化剤、研磨剤及び球状シリカから構成されクリーム状の性状を呈するようにしたことをその要旨とする。
請求項２に記載の発明では請求項１の発明の構成に加え、球状シリカの配合割合は１〜１０重量％であることをその要旨とする。
請求項３に記載の発明では請求項１又は２の発明の構成に加え、前記球状シリカの粒径は０．１〜３．０μｍであることをその要旨とする。
請求項４に記載の発明では請求項１〜３のいずれかの発明の構成に加え、前記水の配合割合は５０〜６０重量％であることをその要旨とする。
請求項５に記載の発明では請求項１〜４のいずれかの発明の構成に加え、前記油分の配合割合は１０〜２０重量％であることをその要旨とする。
請求項６に記載の発明では請求項１〜５のいずれかの発明の構成に加え、前記水と油分との合計配合割合は６０〜９０重量％であることをその要旨とする。
【０００５】
ここに油分としては例えば、
液体油脂として、アボガド油、ツバキ油、マカデミアナッツ油、ミンク油、オリーブ油、ヒマシ油、ホホバ油、トリグリセリン、トリオクタン酸グリセリン等；固体油脂として、ヤシ油、硬化ヤシ油、パーム油、牛脂、羊脂、モクロウ、硬化ヒマシ油等が挙げられる。
ロウとして、ミツロウ、キャンデリラロウ、カルナバロウ、イボタロウ、鯨ロウ、ラノリン、還元ラノリン等、炭化水素として、流動パラフィン、スクワラン、パラフィン、ワセリン等が挙げられる。
高級脂肪酸として、ラウリン酸、ミリスチン酸、パルミチン酸、ステアリン酸、ベヘン酸、オレイン酸等が挙げられる。
高級アルコールとして、ラウリルアルコール、セチルアルコール、ステアリルアルコール等が挙げられる。
その他、エステル油やシリコーンも適宜選択されうる。またこれら油分は、本発明において一種または二種以上を任意に選択して用いることができる。
【０００６】
乳化剤（界面活性剤）としては特に限定されないが、
アニオン界面活性剤として例えば、
セッケン用素地、ラウリン酸ナトリウム等の脂肪酸セッケン、ラウリル硫酸ナトリウム等の高級アルキル硫酸エステル塩、ポリオキシエチレン（以下、ＰＯＥと略する）ラウリル硫酸トリエタノールアミン等のアルキルエーテル硫酸エステル塩、ラウロイルサルコシンナトリウム等のＮ−アシルサルコシン酸、ヤシ油脂肪酸メチルタウリッドナトリウム等の高級脂肪酸アミドスルホン酸塩、ＰＯＥアルキルエーテルリン酸塩、ＰＯＥステアリルエーテルリン酸塩、ＰＯＥアルキルフェニールエーテルリン酸塩等のリン酸エステル塩等が挙げられる。
カチオン界面活性剤としては、例えば塩化ステアリルトリメチルアンモニウム等のアルキルトリメチルアンモニウム塩、塩化ジステアリルジメチルアンモニウム等のジアルキルジメチルアンモニウム塩等が挙げられる。
親油性非イオン系界面活性剤としては、例えば、ソルビタンモノイソステアレート、ソルビタンセスキオレエート等のソルビタン脂肪酸エステル、モノステアリン酸グリセリン等のグリセリンポリグリセリン脂肪酸類等が挙げられる。
親水性非イオン系界面活性剤としては、例えば、ＰＯＥソルビタンモノステアレート等のＰＯＥソルビタン脂肪酸エステル類、ＰＯＥソルビットモノオレエート等のＰＯＥソルビット脂肪酸エステル、ＰＯＥグリセリンモノイソステアレート等のＰＯＥグリセリン脂肪酸エステル類、ＰＯＥアルキルエーテル、ＰＯＥステアリルエーテル、ＰＯＥコレスタノールエーテル等のＰＯＥアルキルエーテル等が挙げられる。またこれら乳化剤は、一種または二種以上を任意に選択して用いることができる。
【０００７】
球状シリカとは、その形状が球状であれば、その表面が多孔質あるいは無孔質のいずれであってもよいが、無孔質球状シリカがより好ましい。球状シリカは例えば粒径が０．１〜３．０μｍのものが好適であり、さらに粒径０．２〜２．０μｍがより好適であり、粒径０．４〜０．６μｍが最も好適である。ここに原料の精製度が十分でないため予定していない非球状のシリカや好ましくない粒径のシリカが物理的活性を阻害しない程度にごく微量配合されることも構わない。
球状シリカの配合割合は１〜１０重量％が好適であり、３〜７重量％がもっとも好適である。
研磨剤として添加される球状シリカ以外の固形粉末としては、例えばケイ酸ソーダ、炭酸カルシウム、炭酸アルミニウム、ケイ酸アルミニウム、ケイ酸バリウム、ケイ酸カルシウム等が好適である。ケイ酸ソーダが特に好適である。
増量及び粘度調整として添加される球状シリカ以外の固形粉末としては、例えばタルク、カオリン、雲母、バーミキュライト、炭酸マグネシウム、炭酸カルシウム、ケイ酸アルミニウム、ケイ酸バリウム、ケイ酸カルシウム等が挙げられる。
【０００８】
水の配合割合は５０〜７０重量％が好適である。この割合は主として油分との関係で決定される。水と油分との合計配合割合は６０〜９０重量％が好適である。油分の配合割合は１０〜２０重量％であることが好適である。
その他、必要に応じて他の成分、洗浄剤に通常用いられる成分、例えば、分散剤、湿潤剤、着色料、防腐剤、香料、殺菌剤、紫外線吸収剤等を本発明の効果を損なわない範囲で用いることができる。
【０００９】
【実施例】
（実施例１）
ａ）水                                            ５５重量％
ｂ）パラフィン                                    １６重量％
ｃ）ＰＯＥエーテルリン酸                            ５重量％
ｄ）ＰＯＥエーテル                                  ５重量％
ｅ）ＰＯＥアルキルフェニールリン酸エステル          ２重量％
ｆ）イソブチレン・マレイン酸共重合物の誘導体        ６重量％
ｇ）局方グリセリン                                  ３重量％
ｈ）ケイ酸ソーダ                                    １重量％
ｉ）球状シリカ                                      ５重量％
ｊ）その他                                          ２重量％
（製法）
ｂ）〜ｇ）の各成分を混合・加熱（８５〜９０℃）したものに、ｈ）ｊ）を溶解又は分散させたａ）にｉ）を均一に分散させたものを加えて乳化し冷却した。
【００１０】
（実施例２）
ａ）水                                            ５０重量％
ｂ）パラフィン                                    １８重量％
ｃ）ＰＯＥエーテルリン酸                            ６重量％
ｄ）ＰＯＥノニルフェニルエーテル                    ６重量％
ｅ）ＰＯＥアルキルフェニールリン酸エステル          ２重量％
ｆ）イソブチレン・マレイン酸共重合物の誘導体        ６重量％
ｇ）局方グリセリン                                  ３重量％
ｈ）ケイ酸ソーダ                                    １重量％
ｉ）球状シリカ                                      ５重量％
ｊ）その他                                          ２重量％
（製法）
実施例１に準ずる。
【００１１】
（実施例３）
ａ）水                                            ５４重量％
ｂ）パラフィン                                    １５重量％
ｃ）ＰＯＥエーテルリン酸                            ５重量％
ｄ）ＰＯＥソルビタン脂肪酸エステル                  ５重量％
ｅ）ＰＯＥアルキルフェニールリン酸エステル          ２重量％
ｆ）イソブチレン・マレイン酸共重合物の誘導体        ６重量％
ｇ）局方グリセリン                                  ３重量％
ｈ）ケイ酸ソーダ                                    ２重量％
ｉ）球状シリカ                                      ６重量％
ｊ）その他                                          ２重量％
（製法）
実施例１に準ずる。
【００１２】
（実施例４）
ａ）水                                            ５８重量％
ｂ）パラフィン                                    １３重量％
ｃ）ＰＯＥエーテルリン酸                            ５重量％
ｄ）ＰＯＥエーテル                                  ５重量％
ｅ）ＰＯＥアルキルフェニールリン酸エステル          ２重量％
ｆ）イソブチレン・マレイン酸共重合物の誘導体        ５重量％
ｇ）局方グリセリン                                  ３重量％
ｈ）ケイ酸ソーダ                                    １重量％
ｉ）球状シリカ                                      ３重量％
ｊ）ホホバ油                                        ３重量％
ｋ）その他                                          ２重量％
（製法）
ｂ）〜ｇ）及びｊ）の各成分を混合・加熱（８５〜９０℃）したものに、ｈ）ｉ）を溶解又は分散させたａ）にｋ）を均一に分散させたものを加えて乳化し冷却した。
実施例１に準ずる。
実施例１〜実施例４によればいずれもクリーム状の塗布しやすい性状を呈し、皮膚に塗布し後に洗浄除去してもかさかさぜず、さらさらした保湿性の高い状態となった。